(57)【要約】      （修正有）【課題】外付けコンバーターを備えたＬＥＤ電球で、照度の低下を防止する電圧のドロップ削減システムを備えたＬＥＤ電球を提供する。【解決手段】ＬＥＤ電球１の電源用ソケット２に電線を介して接続したトランス４と、該トランスに電線を介して接続したコンバータ５とを有し、該コンバーターに接続した電線を、電源に接続し得るように構成した電圧ドロップ削減システムを備えて、ＬＥＤ電球の照度の低下を防止した。【選択図】図１
0003171776.tif 000002
【実用新案登録請求の範囲】
【請求項１】
ＬＥＤ電球の電源用ソケットに電線を介して接続したトランスと、該トランスに電線を介して接続したコンバータとを有し、該コンバーターに接続した電線を、電源に接続し得るように構成した電圧ドロップ削減システムを具備したことを特徴とするＬＥＤ電球。
【請求項２】
前記電源用ソケットとコンバーターとの距離が２m以上であり、前記電源用ソケットとトランスとの距離が２mより短い請求項１記載のＬＥＤ電球。
【請求項３】
上記コンバーターは、両端の接点を端子の接点に離間し得るように接触させ、一方の端子に電源ソケットを介して接続した電線を交流電源に接続し得るように形成し、コンバーターの他端の接点を他方の端子の接点に着脱し得るように接続し、他方の端子に電源ソケットを介して接続した電線をトランスを介して、LED電球の電源入力部に接続する請求項１または２記載のＬＥＤ電球。
【請求項４】
前記トランスを介してソケットに接続する電線を、直接若しくはコネクタを介してソケットに接続し、該ソケットをＬＥＤ電球の口金に螺合若しくは嵌合接続する請求項３記載のＬＥＤ電球。
【請求項５】
前記コンバーターとトランスとの間に、充電器を接続して停電時の緊急対応システムを付加させる請求項２記載のＬＥＤ電球。
【考案の詳細な説明】
【技術分野】
【０００１】
本考案は、ＬＥＤ電球に内蔵されているコンバーターを外付けとし、コンバーターとＬＥＤ電球との距離が長くなっても、ＬＥＤ電球の照度が落ちないようにした電圧のドロップ削減システムを備えたＬＥＤ電球に関する。
【背景技術】
【０００２】
ＬＥＤ電球は、交流電源では使用し得ないので、交流電源を直流電源に返還するコンバーターが内蔵されている。このコンバーターを内蔵したＬＥＤ電球は、高価なものであった。しかも、ＬＥＤ自体は長寿命であったが、コンバーターが先に使用できなくなる場合か、コンバーターが製品不良であった場合は、そのまま廃棄しなければならない問題があった。
このような問題点を解決するため、本考案者は、本来のＬＥＤ電球の寿命まで使用し得る外付けコンバーターを備えたＬＥＤ電球を開発し、先に実用新案登録した（特許文献１参照）。
【特許文献１】実用新案登録第３１６１４６６号
【考案の開示】
【考案が解決しようとする課題】
【０００３】
しかしながら、上記ＬＥＤ電球は、本来のＬＥＤ電球の寿命まで使用し得るという利点はあったが、外付けコンバーターとＬＥＤ電球との距離が長くなると、特に２m以上長くなると、ＬＥＤ電球の照度が大きく低下するという新たな問題が生じることが判明した。
【０００４】
この考案は、このような点に着目してなされたものであり、請求項１に記載の考案は、外付けコンバーターを備えたＬＥＤ電球で、照度の低下を防止する電圧のドロップ削減システムを備えたＬＥＤ電球を提供することを目的とする。
また、請求項５に記載の考案は、上記目的に加えて、停電時でも点灯させることができる停電時の緊急対応システムを具備したＬＥＤ電球を提供することを目的とする。
【課題を解決するための手段】
【０００５】
上記目的に沿う本考案の構成は、ＬＥＤ電球の電源用ソケットに電線を介して接続したトランスと、該トランスに電線を介して接続したコンバータとを具備し、該コンバーターに接続した電線を、電源に接続し得るように構成したことを特徴とする。
【０００６】
前記電源用ソケットとコンバーターとの距離が２m以上であり、前記電源用ソケットとトランスとの距離が２mより短いようにするのが好ましい（請求項２）。
【０００７】
上記コンバーターは、両端の接点を端子の接点に離間し得るように接触させ、一方の端子に電源ソケットを介して接続した電線を交流電源に接続し得るように形成し、コンバーターの他端の接点を他方の端子の接点に着脱し得るように接続し、他方の端子に電源ソケットを介して接続した電線をトランスを介して、ＬＥＤ電球の電源入力部に接続するように構成するのが良い（請求項３）。
【０００８】
前記トランスを介してソケットに接続する電線を、直接若しくはコネクタを介してソケットに接続し、該ソケットをＬＥＤ電球の口金に螺合若しくは嵌合接続するのが好ましい（請求項４）。
前記コンバーターとトランスとの間に、充電器を接続し、停電時の緊急対応システムを付加させるのが良い（請求項５）。
【考案の効果】
【０００９】
本考案によれば、コンバーターを外付けにしても、ＬＥＤ電球の照度を低下させることができるので、高価なＬＥＤ電球の寿命を支障なく向上させることができる。
【図面の簡単な説明】
【００１０】
【図１】本考案の一実施例を示すブロック図である。
【図２】本考案の他の実施例を示すブロック図である。
【図３】外付けにしたコンバーターの内部の平面図である。
【図４】外付けにしたコンバーターの内部の側面図である。
【符号の説明】
【００１１】
１・・・・・・ＬＥＤ電球
２・・・・・・電源用ソケット
３・・・・・・電線
４・・・・・・トランス
５・・・・・・コンバーター
６・・・・・・充電器
【考案を実施するための最良の形態】
【００１２】
以下、添付図面に従って、本考案の具体例を更に詳細に説明する。
【００１３】
図１は、本考案の一実施例を示すものであり、ＬＥＤ電球１の口金に嵌合若しくは螺合した電源用ソケット２に、電線３を介して、トランス４を接続し、該トランス４に電線３を介してコンバーター５を接続した例を示す。
【００１４】
コンバーター５に接続した電線３は、１００Ｖ〜２４０Ｖの電源に接続し得るようになっている。
電源用ソケット２の頭部には、ＬＥＤ電球１を天井から吊るすための鎖を設けると良い。
【００１５】
ＬＥＤ電球１とコンバーター５の距離に応じて、トランス４によって、適当な値に昇圧するように設定しておく。このようにすることによって、ＬＥＤ電球１の照度を常に明るい状態に保つことができる。
【００１６】
図２は、本考案の他の実施例を示すものであり、トランス４とコンバーター５との間に、充電器６が接続され、停電時の緊急対応システムを付加している。
【００１７】
このように構成することによって、停電時でも充電器６の電力によって、ＬＥＤ電球１を点灯させることができる。
【００１８】
交流を直流に変換するコンバーター５は、図３及び図４に示すように、コンバーターの一端の接点７を端子８の接点９に離間し得るように接触させ、端子８に電源ソケット１０を介して接続した電線３を交流電源に接続し得るように形成し、コンバーターの他端の接点７´を端子８´の接点９´に離間し得るように接触させ、端子８´に電源ソケット１０´を介して接続した電線３に、図１に示すようにトランス４を接続し、該トランス４を電線３を介してＬＥＤ電球１に接続する。
【００１９】
上記実施例では、電線３は、直接電源用ソケット２に接続したが、コネクターを介して電源用ソケット２に接続しても良い。
コンバーター５と端子８，８´とは、ケース内に収容されるが、一端が電源ソケット１０，１０´用開口を除いて閉鎖した筒状体のケースの一端の閉鎖部にバネを収容し、端子８，８´とコンバーター５とを収容した後、他方の開口に蓋を嵌合若しくは螺合して、コンバーターの接点と端子の接点とが、離間し得るように接触させると良い。
【００２０】
端子８，８´は、電源ソケット１０，１０´に接続されるが、電源ソケット１０，１０´は、容易に着脱できるものであれば、どのようなものでも良い。
【産業上の利用可能性】
【００２１】
本考案によれば、外付けコンバーターとすることにより生じた電圧の低下を効果的に防止することができるので、高価なＬＥＤ電球の寿命を支障なく延ばすことができるから、このＬＥＤ電球が広範に普及することが期待される。
【図１】
0003171776.tif 000003
【図２】
0003171776.tif 000004
【図３】
0003171776.tif 000005
【図４】
0003171776.tif 000006